(57)【特許請求の範囲】
【請求項１】
移動端末と、第１のセルを有する基地局と、第２のセルを有するフェムト基地局と、を有する無線通信システムの前記フェムト基地局であって、
前記第１のセルに在圏する前記移動端末を前記第２のセルに在圏変更させるために、自装置の情報及び隣接セル情報を含む擬似報知信号を、前記基地局が報知信号を送信する周波数である第１の周波数を使用して送信する手段と、
前記第２のセルに在圏する前記移動端末と、自装置が報知信号を送信する周波数であって前記第１の周波数とは異なる周波数である第２の周波数を使用して、通信する手段と、を有するフェムト基地局。
【請求項２】
前記第１のセルを有する基地局が送信する報知信号を受信する手段をさらに有し、
前記擬似報知信号は、前記受信する手段が受信した前記報知信号に、前記第２のセルの識別情報を含めた信号である、請求項１に記載のフェムト基地局。
【請求項３】
第１のセルに在圏する移動端末を第２のセルに在圏変更させるために、自装置の情報及び隣接セル情報を含む擬似報知信号を、基地局が報知信号を送信する周波数である第１の周波数を使用して送信するステップと、
前記第２のセルに在圏する前記移動端末と、自装置が報知信号を送信する周波数であって前記第１の周波数とは異なる周波数である第２の周波数を使用して、通信するステップと、を有する通信方法。
【請求項４】
前記第１のセルを有する基地局が送信する報知信号を受信するステップをさらに有し、
前記擬似報知信号は、前記受信するステップで受信した前記報知信号に、前記第２のセルの識別情報を含めた信号である、請求項３に記載の通信方法。
【請求項５】
フェムト基地局にて実行させる通信プログラムであって、
第１のセルに在圏する移動端末を第２のセルに在圏変更させるために、自装置の情報及び隣接セル情報を含む擬似報知信号を、基地局が報知信号を送信する周波数である第１の周波数を使用して送信する処理と、
前記第２のセルに在圏する前記移動端末と、自装置が報知信号を送信する周波数である第２の周波数を使用して、通信する処理と、を前記フェムト基地局に実行させる通信プログラム。
【請求項６】
前記第１のセルを有する基地局が送信する報知信号を受信する処理をさらに前記フェムト基地局に実行させ、
前記擬似報知信号は、前記受信する処理により受信した前記報知信号に、前記第２のセルの識別情報を含めた信号である、請求項５に記載の通信プログラム。
【請求項７】
フェムト基地局に備えられる通信回路であって、
第１のセルに在圏する移動端末を第２のセルに在圏変更させるために、自装置の情報及び隣接セル情報を含む擬似報知信号を、基地局が報知信号を送信する周波数である第１の周波数を使用して送信し、
前記第２のセルに在圏する前記移動端末と、自装置が報知信号を送信する周波数であって前記第１の周波数とは異なる周波数である第２の周波数を使用して通信する、通信回路。
【請求項８】
前記第１のセルを有する基地局が送信する報知信号を受信し、
前記擬似報知信号は、前記受信した前記報知信号に、前記第２のセルの識別情報を含めた信号である、請求項７に記載の通信回路。
【請求項９】
フェムト基地局に備えられる集積回路であって、
第１のセルに在圏する移動端末を第２のセルに在圏変更させるために、基地局が報知信号を送信する周波数である第１の周波数で送信され、自装置の情報及び隣接セル情報を含む擬似報知信号を生成する第１の生成部と、
前記第２のセルに在圏する前記移動端末と、自装置が報知信号を送信する周波数であって前記第１の周波数とは異なる周波数である第２の周波数を使用して通信するための信号を生成する第２の生成部と、を有する集積回路。
【請求項１０】
前記第１のセルを有する基地局が送信する報知信号を受信する受信部をさらに有し、
前記擬似報知信号は、前記受信部が受信した前記報知信号に、前記第２のセルの識別情報を含めた信号である、請求項９に記載の集積回路。
【請求項１１】
移動端末と、第１のセルを有する基地局と、第２のセルを有するフェムト基地局と、を有する無線通信システムであって、
前記基地局は、自装置が報知信号を送信する周波数である第１の周波数を使用して、前記第１のセルに在圏する前記移動端末と通信する手段を有し、
前記フェムト基地局は、
前記第１のセルに在圏する前記移動端末を前記第２のセルに在圏変更させるために、自装置の情報及び隣接セル情報を含む擬似報知信号を、前記第１の周波数を使用して送信する手段と、
自装置が報知信号を送信する周波数であって前記第１の周波数とは異なる周波数である第２の周波数を使用して、前記第２のセルに在圏する前記移動端末と通信する手段と、を有し、
前記移動端末は、前記第１のセルに在圏するとき、前記擬似報知信号を受信することで前記第２のセルに在圏し、前記フェムト基地局と通信する手段を有する、無線通信システム。
【請求項１２】
移動端末と、第１のセルを有する基地局と、第２のセルを有するフェムト基地局と、を有する無線通信システムによる通信方法であって、
前記基地局が、自装置が報知信号を送信する周波数である第１の周波数を使用して、前記第１のセルに在圏する前記移動端末と通信するステップと、
前記フェムト基地局が、前記第１のセルに在圏する前記移動端末を前記第２のセルに在圏変更させるために、自装置の情報及び隣接セル情報を含む擬似報知信号を、前記第１の周波数を使用して送信するステップと、
前記移動端末が、前記第１のセルに在圏するとき、前記擬似報知信号を受信することで前記第２のセルに在圏するステップと、
前記フェムト基地局が、自装置が報知信号を送信する周波数であって前記第１の周波数とは異なる周波数である第２の周波数を使用して、前記第２のセルに在圏する前記移動端末と通信するステップと、を有する通信方法。
【発明の詳細な説明】
【技術分野】
【０００１】
本発明は、フェムト基地局、無線通信システム、通信方法、通信プログラム、通信回路、及び集積回路に関する。
本願は、２００８年１０月２０日に出願された特願２００８−２６９９９５号に基づき優先権を主張し、その内容をここに援用する。
【背景技術】
【０００２】
一般的な移動体通信システムは、広い範囲の通信エリアを有する基地局を多数備えることで、広範囲での通信を可能としている。しかし、地下や建造物の中では、基地局からの電波強度が微弱となるために通信が困難となる場所が生じることがある。この問題を解決するために、ピコ基地局やフェムト基地局と呼ばれる、小さな範囲の通信エリアを有する二次基地局が用いられている。【０００３】
図９は、一般的なフェムト基地局を備える通信システムの構成図である。
通信システムは、周辺基地局９１０と、端末９２０と、フェムト基地局９３０とを備える。
周辺基地局９１０のサービス周波数は周波数αである。フェムト基地局９３０のサービス周波数は周波数γである。【０００４】
本発明は上記の点に鑑みてなされたものであり、その目的は、一次基地局（周辺基地局）が送信する報知情報（周辺基地局報知情報）の隣接セル情報に二次基地局（フェムト基地局）の情報を追加すること無しに移動端末（端末）を一次基地局の通信エリアから二次基地局の通信エリアに在圏変更させることができるフェムト基地局、無線通信システム、通信方法、通信プログラム、通信回路、及び集積回路を提供することにある。
なお、上記ではフェムト基地局の例を示して発明の課題が説明されたが、フェムト基地局ではなく一般的な基地局または基地局相当の通信装置においても同様の課題が生じる。
【０００５】
また、フェムト基地局９３０は、フェムト基地局報知情報を一定の送信タイミングにおいて周波数γで送信する（ステップＳ９５）。
ステップＳ９４によって端末９２０が隣接セルサーチを行っている場合、端末９２０は周波数γでフェムト基地局９３０からフェムト基地局報知情報を受信する（ステップＳ９６）。
このとき、端末９２０において周辺基地局９１０の電波よりフェムト基地局９３０の電波のほうが強い場合、端末９２０は周辺基地局９１０からフェムト基地局９３０の通信エリアの通信エリアに在圏変更を行う。これにより、フェムト基地局９３０を介しての発着信が可能となる。
なお、端末９２０においてフェムト基地局９３０の電波より周辺基地局９１０の電波のほうが強い場合、端末９２０は在圏変更を行わず、周辺基地局９１０を介しての発着信を行う。【０００６】
なお、特許文献１に、周辺基地局９１０が送信する周辺基地局報知情報に含まれる隣接セルの情報を更新する技術が開示されている。
【先行技術文献】
【特許文献】
【０００７】
【特許文献１】特開２００８−２１９６４５号公報
【発明の概要】
【発明が解決しようとする課題】
【０００８】
しかしながら、上記通信システムでは、周辺基地局９１０が保持する隣接セルリストの中にフェムト基地局９３０が含まれていない場合、周辺基地局９１０が作成する周辺基地局報知情報の隣接セル情報にフェムト基地局９３０が含まれない。
この場合、端末９２０が周辺基地局９１０の通信エリアに在圏しているときにフェムト基地局９３０がサーチの対象とならないため、フェムト基地局９３０の通信エリアに在圏することができない。【０００９】
本発明は上記の点に鑑みてなされたものであり、その目的は、一次基地局（周辺基地局）が送信する報知情報（周辺基地局報知情報）の隣接セル情報に二次基地局（フェムト基地局）の情報を追加すること無しに移動端末（端末）を一次基地局の通信エリアから二次基地局の通信エリアに在圏変更させることができる通信システム、二次基地局、無線通信方法、通信プログラム、通信回路、及び無線中継装置を提供することにある。
なお、上記ではフェムト基地局の例を示して発明の課題が説明されたが、フェムト基地局ではなく一般的な基地局または基地局相当の通信装置においても同様の課題が生じる。
【課題を解決するための手段】
【００１０】
本発明は上記の課題を解決するためになされたものであり、移動端末と、第１のセルを有する基地局と、第２のセルを有するフェムト基地局と、を有する無線通信システムの前記フェムト基地局であって、前記第１のセルに在圏する前記移動端末を前記第２のセルに在圏変更させるために、自装置の情報及び隣接セル情報を含む擬似報知信号を、前記基地局が報知信号を送信する周波数である第１の周波数を使用して送信する手段と、前記第２のセルに在圏する前記移動端末と、自装置が報知信号を送信する周波数であって前記第１の周波数とは異なる周波数である第２の周波数を使用して、通信する手段と、を有するフェムト基地局を提供する。
【００１１】
また、本発明は、第１のセルに在圏する移動端末を第２のセルに在圏変更させるために、自装置の情報及び隣接セル情報を含む擬似報知信号を、基地局が報知信号を送信する周波数である第１の周波数を使用して送信するステップと、前記第２のセルに在圏する前記移動端末と、自装置が報知信号を送信する周波数であって前記第１の周波数とは異なる周波数である第２の周波数を使用して、通信するステップと、を有する通信方法を提供する。
【００１２】
また、本発明は、フェムト基地局にて実行させる通信プログラムであって、第１のセルに在圏する移動端末を第２のセルに在圏変更させるために、自装置の情報及び隣接セル情報を含む擬似報知信号を、基地局が報知信号を送信する周波数である第１の周波数を使用して送信する処理と、前記第２のセルに在圏する前記移動端末と、自装置が報知信号を送信する周波数である第２の周波数を使用して、通信する処理と、を前記フェムト基地局に実行させる通信プログラムを提供する。
【００１３】
また、本発明は、フェムト基地局に備えられる通信回路であって、第１のセルに在圏する移動端末を第２のセルに在圏変更させるために、自装置の情報及び隣接セル情報を含む擬似報知信号を、基地局が報知信号を送信する周波数である第１の周波数を使用して送信し、前記第２のセルに在圏する前記移動端末と、自装置が報知信号を送信する周波数であって前記第１の周波数とは異なる周波数である第２の周波数を使用して通信する、通信回路を提供する。
【００１４】
また、本発明は、フェムト基地局に備えられる集積回路であって、第１のセルに在圏する移動端末を第２のセルに在圏変更させるために、基地局が報知信号を送信する周波数である第１の周波数で送信され、自装置の情報及び隣接セル情報を含む擬似報知信号を生成する第１の生成部と、前記第２のセルに在圏する前記移動端末と、自装置が報知信号を送信する周波数であって前記第１の周波数とは異なる周波数である第２の周波数を使用して通信するための信号を生成する第２の生成部と、を有する集積回路を提供する。
【００１７】
また、本発明は、移動端末と、第１のセルを有する基地局と、第２のセルを有するフェムト基地局と、を有する無線通信システムであって、前記基地局は、自装置が報知信号を送信する周波数である第１の周波数を使用して、前記第１のセルに在圏する前記移動端末と通信する手段を有し、前記フェムト基地局は、前記第１のセルに在圏する前記移動端末を前記第２のセルに在圏変更させるために、自装置の情報及び隣接セル情報を含む擬似報知信号を、前記第１の周波数を使用して送信する手段と、自装置が報知信号を送信する周波数であって前記第１の周波数とは異なる周波数である第２の周波数を使用して、前記第２のセルに在圏する前記移動端末と通信する手段と、を有し、前記移動端末は、前記第１のセルに在圏するとき、前記擬似報知信号を受信することで前記第２のセルに在圏し、前記フェムト基地局と通信する手段を有する、無線通信システムを提供する。
【００１８】
また、本発明は、移動端末と、第１のセルを有する基地局と、第２のセルを有するフェムト基地局と、を有する無線通信システムによる通信方法であって、前記基地局が、自装置が報知信号を送信する周波数である第１の周波数を使用して、前記第１のセルに在圏する前記移動端末と通信するステップと、前記フェムト基地局が、前記第１のセルに在圏する前記移動端末を前記第２のセルに在圏変更させるために、自装置の情報及び隣接セル情報を含む擬似報知信号を、前記第１の周波数を使用して送信するステップと、前記移動端末が、前記第１のセルに在圏するとき、前記擬似報知信号を受信することで前記第２のセルに在圏するステップと、前記フェムト基地局が、自装置が報知信号を送信する周波数であって前記第１の周波数とは異なる周波数である第２の周波数を使用して、前記第２のセルに在圏する前記移動端末と通信するステップと、を有する通信方法を提供する。
【発明の効果】
【００１９】
移動端末が一次基地局の通信エリアに在圏し、一次基地局のセルの識別情報を含む報知信号を受信する場合、移動端末において一次基地局が送信する報知信号の電波よりも二次基地局が送信する擬似報知信号の電波のほうが強いとき、移動端末は二次基地局が送信する擬似報知信号を受信し、二次基地局の通信エリアに在圏変更できる。
従って、一次基地局が送信する報知信号中の隣接セル情報に二次基地局を登録すること無しに移動端末を一次基地局から二次基地局の通信エリアに在圏させることができる。
【図面の簡単な説明】
【００２０】
【図１】本発明の第１の参考例による通信システムの概略図である。
【図２】本発明の第２の参考例によるフェムト基地局の構成を示す概略ブロック図である。
【図３】本発明の第１の実施形態による通信システムの構成図である。
【図４】同第１の実施形態によるフェムト基地局の構成を示す概略ブロック図である。
【図５】同第１の実施形態による通信システムの動作を示すシーケンス図である。
【図６】周辺基地局とフェムト基地局の距離と受信電界の関係を示す図である。
【図７】本発明の第２の実施形態による通信システムの構成図である。
【図８】同第２の実施形態による通信システムの動作を示すシーケンス図である。
【図９】一般的な、フェムト基地局を備える通信システムの構成図である。
【図１０】一般的な通信システムの動作を示すシーケンス図である。
【発明を実施するための形態】
【００２１】
（第１の参考例）
図１は、本発明の第１の参考例による通信システムの概略図である。
通信システムは、周辺基地局１０（一次基地局）と端末２０（移動端末）とフェムト基地局３０（二次基地局）とを備える。
周辺基地局１０の通信エリア（セル）の識別情報はαである。
周辺基地局１０は、識別情報αを含む報知信号（報知情報）を、端末２０とフェムト基地局３０に送信する。
フェムト基地局３０のセルの識別情報はγである。
フェムト基地局３０は、報知信号を受信すると、識別情報αと隣接セル情報とを含む疑似報知信号を端末２０に送信する。ここで、隣接セル情報は、フェムト基地局３０のセルの識別情報γに設定される。
【００２２】
端末２０は、報知信号および疑似報知信号を受信した場合、周辺基地局１０から受信する信号と、フェムト基地局３０から受信する信号との受信電力を比較し、受信電力が大きいいずれかの基地局と通信を行う。
したがって、端末２０が周辺基地局１０の通信エリア（セル）に在圏し、周辺基地局１０のセルの識別情報を含む報知信号を受信する場合、端末２０において周辺基地局１０が送信する報知信号の電波よりもフェムト基地局３０が送信する擬似報知信号の電波のほうが強いとき、端末２０は、フェムト基地局３０が送信する擬似報知信号を受信し、フェムト基地局３０の通信エリアに在圏変更することができる。
【００２３】
本発明において、識別情報とは、通信エリア（セル）を識別する情報を示す。識別情報の一例は、周波数または拡散符号、またはそれらの組合せがある。
拡散符号の一例として、チャネライゼーションコードまたはスクランブリングコード等がある。
ここでは、識別情報の例を挙げたが、セルを識別する情報であればよく、これらに限定されない。
【００２４】
また、本発明において、隣接セル情報とは、対象とする通信エリア（セル）の周辺セルの識別情報を示すものである。
例えば、本実施形態の場合は、周辺基地局１０の少なくとも一つの周辺セルの識別情報（周波数、拡散符号またはそれらの組合せ）を示す。
【００２５】
（第２の参考例）
図２は、本発明の第２の参考例によるフェムト基地局の構成を示す概略ブロック図である。
フェムト基地局３０は、少なくとも受信部３０１と、作成部３０２と、送信部３０３とを備える。
受信部３０１は、周辺基地局１０のセルを識別する識別情報（例えば、周波数）を含む報知信号を受信する。
作成部３０２は、受信部３０１が受信した報知信号に基づいて、フェムト基地局３０自体のセルの情報から成る隣接セル情報と周辺基地局１０のセルの識別情報とを含む疑似報知信号を作成する。
送信部３０３は、作成部３０２が作成した疑似報知信号を、周辺基地局１０のセルの識別情報に基づいて送信する。
したがって、端末２０が周辺基地局１０の通信エリア（セル）に在圏し、周辺基地局１０の識別情報を含む報知信号を受信する場合、端末２０において周辺基地局１０が送信する報知信号の電波よりもフェムト基地局３０が送信する擬似報知信号の電波のほうが強いとき、端末２０は、フェムト基地局３０が送信する擬似報知信号を受信し、フェムト基地局３０の通信エリアに在圏変更できる。
【００２６】
以下、図面を参照しながら本発明の実施形態について詳しく説明する。
（第１の実施形態）
図３は、本発明の第１の実施形態による通信システムの構成図である。
通信システムは周辺基地局１０（一次基地局）と端末２０（移動端末）とフェムト基地局３０（二次基地局）とを備える。
周辺基地局１０のサービス周波数は周波数α（第１の周波数）である。
フェムト基地局３０は、フェムト基地局報知情報を送信する。なお、フェムト基地局３０のサービス周波数は周波数γ（第２の周波数）である。
【００２７】
図４は、本第１の実施形態によるフェムト基地局の構成を示す概略ブロック図である。
フェムト基地局３０は、周辺基地局周波数α報知情報受信部３１１と、周辺基地局報知情報擬似データ作成部３１２と、周辺基地局擬似報知情報送信機３１３と、フェムト報知情報送信機３１４とを備える。
周辺基地局周波数α報知情報受信部３１１は、周辺基地局１０が周波数αで送信する周辺基地局報知情報を受信する。
周辺基地局報知情報擬似データ作成部３１２は、周辺基地局周波数α報知情報受信部３１１が受信した周辺基地局報知情報に基づいて周辺基地局擬似報知情報を作成する。
周辺基地局擬似報知情報送信機３１３は、周辺基地局報知情報擬似データ作成部３１２が作成した周辺基地局擬似報知情報を周波数αで送信する。
フェムト報知情報送信機３１４は、フェムト基地局報知情報を周波数γで送信する。ここで、隣接セル情報は、フェムト基地局３０の周波数γに設定される。
【００２８】
次に、本発明の第１の実施形態による通信システムの動作を説明する。
なお、本実施形態では、端末２０において周辺基地局１０の電波よりフェムト基地局３０の電波のほうが強い場合の動作を説明する。
図５は、本通信システムの動作を示すシーケンス図である。
まず、周辺基地局１０は、周辺基地局報知情報を作成する（ステップＳ１ａ）。
以下、この周辺基地局報知情報中の隣接セル情報には、フェムト基地局３０の情報が含まれない場合について説明する。
周辺基地局１０は、周辺基地局報知情報を作成すると、作成した周辺基地局報知情報を、一定の送信タイミングにおいて周波数αで送信する（ステップＳ２ａ）。
周辺基地局１０が周辺基地局報知情報を送信すると、端末２０は周波数αで周辺基地局１０から周辺基地局報知情報を受信する（ステップＳ３ａ）。
なお、この時点で端末２０は周辺基地局１０の通信エリアに在圏している。
【００２９】
また、ステップＳ２ａによって周辺基地局１０が周辺基地局報知情報を送信すると、フェムト基地局３０の周辺基地局周波数α報知情報受信部３１１は、周波数αで周辺基地局１０から周辺基地局報知情報を受信し、周辺基地局１０の周辺基地局報知情報と周辺基地局報知情報の受信タイミングを抽出する（ステップＳ４ａ）。
受信タイミングの抽出は、例えば周辺基地局周波数α報知情報受信部３１１が周辺基地局１０から周辺基地局報知情報を複数回受信し、受信間隔の平均を算出することで行う。
周辺基地局周波数α報知情報受信部３１１が周辺基地局報知情報を受信すると、周辺基地局報知情報擬似データ作成部３１２は、周辺基地局報知情報の隣接セル情報を、フェムト基地局３０の情報を含むように書き換えることで周辺基地局擬似報知情報を作成する（ステップＳ５ａ）。
周辺基地局報知情報擬似データ作成部３１２が周辺基地局擬似報知情報を作成すると、周辺基地局擬似報知情報送信機３１３は、周辺基地局周波数α報知情報受信部３１１が抽出した周辺基地局報知情報の（一定の送信タイミングに対応した）受信タイミングを送信タイミングとして、周辺基地局報知情報擬似データ作成部３１２が作成した周辺基地局擬似報知情報を周波数αで送信する（ステップＳ６ａ）。
これにより、フェムト基地局３０は、周辺基地局１０が送信する周辺基地局報知情報と同期して周辺基地局擬似報知情報を送信することができる。
【００３０】
フェムト基地局３０が周辺基地局擬似報知情報を送信すると、端末２０において周辺基地局１０が送信する周辺基地局報知情報の電波よりフェムト基地局３０が送信する周辺基地局報知情報の電波ほうが強い場合、フェムト基地局３０の周辺基地局擬似報知情報を周波数αで受信し、フェムト基地局３０の通信エリアに在圏変更を行う（ステップＳ７ａ）。
これにより、端末２０は周波数γで報知信号の受信を待機する。
【００３１】
また、フェムト報知情報送信機３１４はフェムト基地局報知情報を作成する（ステップＳ８ａ）。フェムト報知情報送信機３１４は、作成したフェムト基地局報知情報を作成するとフェムト基地局報知情報を周波数γで送信する（ステップＳ９ａ）。
フェムト報知情報送信機３１４がフェムト基地局報知情報を送信し、ステップＳ７ａによって端末２０がフェムト基地局３０の通信エリアに在圏変更を行った後、端末２０は、フェムト基地局報知情報を周波数γで受信することができるようになる（ステップＳ１０ａ）。
これにより、端末２０はフェムト基地局３０を介しての発着信が可能となる。
なお、ステップＳ７ａで端末２０においてフェムト基地局３０の電波より周辺基地局１０の電波のほうが強い場合、端末２０は在圏変更を行わず、周辺基地局１０を介しての発着信を行う。
この場合、端末２０は周波数γで報知信号の受信を待機しないため、ステップＳ１０ａでフェムト基地局報知情報を受信できない。
【００３２】
図６は、周辺基地局とフェムト基地局の距離と受信電界の関係を示す図である。
図６に示すように、周辺基地局１０が発する電波の受信強度は、周辺基地局１０から離れるに従って弱くなる。同様に、フェムト基地局３０が発する電波の受信強度は、フェムト基地局３０から離れるに従って弱くなる。
上述した動作の説明は、端末２０において周辺基地局１０の電波よりフェムト基地局３０の電波のほうが強い場合、すなわち図６に示すフェムト基地局からの周辺基地局擬似報知情報受信エリア内に端末２０が存在する場合における動作の説明である。
【００３３】
このように、本実施形態によれば、周辺基地局報知情報擬似データ作成部３１２は、周辺基地局報知情報を、隣接セル情報にフェムト基地局３０の情報を含むように書き換えることで周辺基地局擬似報知情報を作成し、周辺基地局擬似報知情報送信機３１３が周波数αで上記作成した情報を送信する。
これにより、端末２０が周辺基地局１０の通信エリアに在圏し、周波数αで報知情報を受信する場合、端末２０において周辺基地局１０が送信する周辺基地局報知情報の電波よりもフェムト基地局３０が送信する周辺基地局擬似報知情報の電波のほうが強いとき、端末２０は、フェムト基地局３０が送信する周辺基地局擬似報知情報を受信し、フェムト基地局３０の通信エリアに在圏変更する。
従って、周辺基地局１０が送信する周辺基地局報知情報中の隣接セル情報にフェムト基地局３０を登録すること無しに端末２０を周辺基地局１０からフェムト基地局３０の通信エリアに在圏させることができる。
そのため、フェムト基地局３０を設置する毎に、オペレータが手動で、周辺基地局１０の隣接セル情報にフェムト基地局３０の情報を設定または更新する煩雑な作業を行う必要がない。また、フェムト基地局３０を設置した時点でフェムト基地局３０を介した通信を行うことができる。
【００３４】
（第２の実施形態）
図７は、本発明の第２の実施形態による通信システムの構成図である。
第２の実施形態は、周辺基地局のサービス周波数が２つである場合における例である。
通信システムは周辺基地局１０と端末２０とフェムト基地局３０とを備える。
周辺基地局１０のサービス周波数は周波数α及び周波数βである。フェムト基地局３０のサービス周波数は周波数γである。
なお、図示を省略するが、フェムト基地局３０は、第１の実施形態のフェムト基地局３０の周辺基地局周波数α報知情報受信部３１１の代わりに周辺基地局周波数αβ報知信号受信部３２１を備える。
【００３５】
次に、本第２の実施形態による通信システムの動作を説明する。なお、本実施形態では第１の実施形態と同様に、端末２０において周辺基地局１０の電波よりフェムト基地局３０の電波のほうが強い場合の動作を説明する。
図８は、本通信システムの動作を示すシーケンス図である。
まず、周辺基地局１０は周辺基地局報知情報を作成する（ステップＳ１ｂ）。
周辺基地局１０は、周辺基地局報知情報を作成すると、作成した周辺基地局報知情報を一定の送信タイミングにおいて周波数α及び周波数βで送信する（ステップＳ２ｂ）。
周辺基地局１０が周辺基地局報知情報を送信すると、端末２０は周波数αまたは周波数βで周辺基地局１０から周辺基地局報知情報を受信する（ステップＳ３ｂ）。なお、この時点で端末２０は周辺基地局１０の通信エリアに在圏している。
【００３６】
また、ステップＳ２ｂによって周辺基地局１０が周辺基地局報知情報を送信すると、フェムト基地局３０の周辺基地局周波数αβ報知信号受信部３２１は、周波数α及び周波数βで周辺基地局１０から周辺基地局報知情報を受信し、周辺基地局１０の周辺基地局報知情報と周辺基地局報知情報の受信タイミングを抽出する（ステップＳ４ｂ）。
周辺基地局周波数αβ報知信号受信部３２１が周辺基地局報知情報を受信すると、周辺基地局報知情報擬似データ作成部３１２は、隣接セル情報にフェムト基地局３０の情報を含むように周辺基地局報知情報を書き換えることで、周辺基地局擬似報知情報を作成する（ステップＳ５ｂ）。
周辺基地局報知情報擬似データ作成部３１２が周辺基地局擬似報知情報を作成すると、周辺基地局擬似報知情報送信機３１３は、周辺基地局周波数αβ報知信号受信部３２１が抽出した周辺基地局報知情報の受信タイミングを送信タイミングとして、周辺基地局報知情報擬似データ作成部３１２が作成した周辺基地局擬似報知情報を周波数α及び周波数βで送信する（ステップＳ６ｂ）。
これにより、フェムト基地局３０は、周辺基地局１０が送信する周辺基地局報知情報と同期して周辺基地局擬似報知情報を送信することができる。
【００３７】
フェムト基地局３０が周辺基地局擬似報知情報を送信すると、端末２０において周辺基地局１０が送信する周辺基地局報知情報の電波よりフェムト基地局３０が送信する周辺基地局報知情報の電波ほうが強い場合、フェムト基地局３０の周辺基地局擬似報知情報を周波数αまたは周波数βで受信し、フェムト基地局３０の通信エリアに在圏変更を行う（ステップＳ７ｂ）。
これにより、端末２０は周波数γで報知信号の受信を待機する。
【００３８】
また、フェムト報知情報送信機３１４はフェムト基地局報知情報を作成する（ステップＳ８ｂ）。フェムト報知情報送信機３１４は、作成したフェムト基地局報知情報を作成するとフェムト基地局報知情報を周波数γで送信する（ステップＳ９ｂ）。
フェムト報知情報送信機３１４がフェムト基地局報知情報を送信し、ステップＳ７ｂによって端末２０がフェムト基地局３０の通信エリアに在圏変更を行った後、端末２０は、フェムト基地局報知情報を周波数γで受信することができるようになる（ステップＳ１０ｂ）。
これにより、端末２０はフェムト基地局３０を介しての発着信が可能となる。
なお、ステップＳ７ｂで端末２０においてフェムト基地局３０の電波より周辺基地局１０の電波のほうが強い場合、端末２０は在圏変更を行わず、周辺基地局１０を介しての発着信を行う。
なお、この場合、端末２０は周波数γで報知信号の受信を待機しないため、ステップＳ１０ｂでフェムト基地局報知情報を受信できない。
【００３９】
このように、第２の実施形態によれば、フェムト基地局３０は、周辺基地局１０に合わせて周波数α及び周波数βで周辺基地局擬似報知情報を送信する。
これにより、端末２０が周波数α、周波数βのどちらで受信してもフェムト基地局３０の通信エリアに在圏変更を行うことができる。
【００４０】
以上、図面を参照してこの発明の第１、第２の実施形態について詳しく説明してきたが、具体的な構成は上述のものに限られることはなく、この発明の要旨を逸脱しない範囲内において様々な設計変更等をすることが可能である。
例えば、第１、第２の実施形態において、二次基地局がフェムト基地局３０である場合を説明したが、これに限られず、例えばナノ基地局やピコ基地局といった他の基地局であっても良い。
【００４１】
なお、第２の実施形態において、周辺基地局１０が使用する周波数が２つである場合を説明したが、これに限られず、周辺基地局１０が使用する周波数が３つ以上の場合も同様に適用することができる。
【００４２】
また、第１、第２の実施形態において、周辺基地局１０、端末２０、フェムト基地局３０が１つずつである例を用いて説明したが、これに限られず、周辺基地局１０、端末２０、フェムト基地局３０を複数備えた場合も同様の効果が得られる。
なお、複数備える場合、端末２０は複数の周辺基地局１０、複数のフェムト基地局３０のうち発する電波が最も強い基地局の通信エリアに在圏し、当該基地局を介して通信を行う。
【００４３】
上述のフェムト基地局３０は、内部にコンピュータシステムを有している。
そして、上述した各処理部の動作は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリ等をいう。
また、このコンピュータプログラムを通信回線によってコンピュータに配信し、この配信を受けたコンピュータが当該プログラムを実行するようにしても良い。
【００４４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００４５】
また、上述した実施の形態においては、周辺基地局１０のセルの識別情報が含まれた報知信号（報知情報）がフェムト基地局３０に送信されるものとして説明したが、本発明の報知信号（報知情報）は、ＲＮＣ（Radio Network Controller、無線基地局制御装置）やＣＮ（Core Network、移動体交換局）における上位のノードから有線または無線を介して送信されても良い。
【００４６】
また、上述したフェムト基地局は、Ｗ−ＣＤＭＡだけでなく、ｃｄｍａ２０００方式やＬＴＥ（Long Term Evolution）方式にも適用可能である。例えば、ＬＴＥでは、セルを識別する識別情報が、周波数（EUTRA-DL-CarrierFreq）または物理セル識別番号（physical Cell Identity）あるいはそれらの組合せ等となる。
【００４７】
上述した実施の形態においては、フェムト基地局３０（二次基地局）は基地局であったが、同様の機能を持つ他の通信装置に転用可能である。
例えば、本発明のフェムト基地局３０をリピータ装置（無線中継装置）として用いても良い。また、このリピータ装置は、基地局または移動端末から送出される信号を直接中継するだけでなく、これらから送出される信号を他のリピータ装置を介して中継する用途にも使用可能である。
また、上述したフェムト基地局３０の周辺基地局周波数α報知情報受信部３１１と、周辺基地局報知情報擬似データ作成部３１２と、周辺基地局擬似報知情報送信機３１３と、フェムト報知情報送信機３１４のそれぞれの機能を実行する素子を半導体基板に集積し、通信回路を構成しても良い。
【産業上の利用可能性】
【００４８】
移動端末が一次基地局の通信エリアに在圏し、一次基地局のセルの識別情報を含む報知信号を受信する場合、移動端末において一次基地局が送信する報知信号の電波よりも二次基地局が送信する擬似報知信号の電波のほうが強いとき、移動端末は二次基地局が送信する擬似報知信号を受信し、二次基地局の通信エリアに在圏変更できる。従って、一次基地局が送信する報知信号中の隣接セル情報に二次基地局を登録すること無しに移動端末を一次基地局から二次基地局の通信エリアに在圏させることができる。
【符号の説明】
【００４９】
１０…周辺基地局  ２０…端末  ３０…フェムト基地局  ３０１…受信部  ３０２…作成部  ３０３…送信部  ３１１…周辺基地局周波数α報知情報受信部  ３１２…周辺基地局報知情報擬似データ作成部  ３１３…周辺基地局擬似報知情報送信機  ３１４…フェムト報知情報送信機
【図１】
0005158204.tif 000002
【図２】
0005158204.tif 000003
【図３】
0005158204.tif 000004
【図４】
0005158204.tif 000005
【図５】
0005158204.tif 000006
【図６】
0005158204.tif 000007
【図７】
0005158204.tif 000008
【図８】
0005158204.tif 000009
【図９】
0005158204.tif 000010
【図１０】
0005158204.tif 000011